(57)【要約】      （修正有）【課題】使用が手軽で、ロックする力が増し、脚管のロック解除およびロックを迅速に調節することができ、単一の節または全体的に、ロック解除およびロックを調節することができ、さらにロック状態で任意の位置まで引っ張り、自動ロックすることができる、脚管自動ロック装置、撮影用三脚、一脚および杖を提供する。【解決手段】脚管自動ロック装置は、相互に組み合わせて使用するガイドスイッチ３およびガイド傾斜柱６を含む。ガイドスイッチ３は底面を欠いた中空の円柱体であり、ガイド傾斜柱６は円錐台状である。ガイドスイッチ３の側表面に、均等に貫通孔が設けられ、貫通孔にロック軸５が適合する。ガイドスイッチ３とガイド傾斜柱６との間に伝動機構を有し、ガイドスイッチ３およびガイド傾斜柱６を相互に回転させるとき、ガイドスイッチ３はガイド傾斜柱６における柱の斜面に沿って上下に移動し、さらにロック軸５はガイド傾斜柱６に沿って運動する。【選択図】図６
0003201233.tif 000002
【実用新案登録請求の範囲】
【請求項１】
相互に組み合わせて使用するガイドスイッチおよびガイド傾斜柱を含み、前記ガイドスイッチは底面を欠いた中空の円柱体であり、前記ガイド傾斜柱は円錐台状であり、前記ガイドスイッチの側表面に、均等に貫通孔が設けられ、前記貫通孔にロック軸が適合し、前記ガイドスイッチと前記ガイド傾斜柱との間に伝動機構を有し、前記ガイドスイッチおよび前記ガイド傾斜柱を相互に回転させるとき、前記ガイドスイッチは前記ガイド傾斜柱における柱の斜面に沿って上下に移動し、さらにロック軸がガイド傾斜柱に沿って運動することを特徴とする、脚管自動ロック装置。
【請求項２】
前記ガイド傾斜柱の上表面にガイド傾斜面が設けられ、前記ガイドスイッチの内底面に、前記ガイド傾斜面と相互に接触する組合せ面が設けられることを特徴とする、請求項１に記載の脚管自動ロック装置。
【請求項３】
前記ガイドスイッチの内底面にガイド釘が固定設置され、前記ガイド釘の下端面が球面であり、前記ガイド傾斜柱の上表面に、前記ガイド釘に適合するガイド溝が設けられ、前記ガイド溝が深い部分から浅い部分まで、連続的に次第に変化して設置されることを特徴とする、請求項１に記載の脚管自動ロック装置。
【請求項４】
前記ガイド傾斜柱の下部にバネおよび接続ボルトが取り付けられ、前記接続ボルトが前記バネを突き抜け、前記ガイド傾斜柱を突き抜け、前記ガイドスイッチの内底面に接続され、前記接続ボルトおよび前記ガイドスイッチの内底面が、ねじ山により接続されることを特徴とする、請求項２または３に記載の脚管自動ロック装置。
【請求項５】
前記貫通孔が楕円状の孔であり、前記ロック軸が太鼓状であることを特徴とする、請求項１または２または３に記載の脚管自動ロック装置。
【請求項６】
前記貫通孔が円状の孔であり、前記ロック軸がボールであることを特徴とする、請求項１または２または３に記載の脚管自動ロック装置。
【請求項７】
前記ガイドスイッチの側表面における前記貫通孔以外の位置に、保護リングが設けられることを特徴とする、請求項１に記載の脚管自動ロック装置。
【請求項８】
請求項１から６のいずれか１項に記載の脚管自動ロック装置を含むことを特徴とする、撮影用三脚。
【請求項９】
請求項１から６のいずれか１項に記載の脚管自動ロック装置を含むことを特徴とする、一脚。
【請求項１０】
請求項１から６のいずれか１項に記載の脚管自動ロック装置を含むことを特徴とする、杖。
【考案の詳細な説明】
【技術分野】
【０００１】
本考案は、脚管自動ロック装置、撮影用三脚、一脚および杖に関する。
【背景技術】
【０００２】
日頃、写真またはビデオを撮影するときはぶれるものであるが、撮影用三脚は、撮影者に支持する力を提供することができ、良い写真を撮影するのに欠かせない撮影機材である。三脚の脚管は一般的に比較的長く、携帯に不便であり、したがって、市場には、脚管を伸縮、締付可能に設計した三脚が多く存在しており、撮影者の需要に基づいて、脚管の長さを調節し、三脚の高さを調節することができる。
【０００３】
考案者は既存技術に以下の欠点があることを見出している。脚管の長さの調節には、通常外部の締付部品で締め付ける必要がある、脚管の長さの調節が不便である、ロックする力に限りがある、である。一般的に、ネジ付きつまみ、またはレバーでロックする。
【考案の概要】
【考案が解決しようとする課題】
【０００４】
本考案が解決しようとする技術的問題は、使用が手軽で、ロックする力が増し、脚管のロック解除およびロックを迅速に調節することができ、単一の節または全体的にロック解除およびロックを調節することができ、さらに、ロック状態で任意の位置まで引っ張り、自動ロックすることができる、脚管自動ロック装置を提供することである。
【課題を解決するための手段】
【０００５】
本考案は、相互に組み合わせて使用するガイドスイッチおよびガイド傾斜柱を含む脚管自動ロック装置を提供する。前記ガイドスイッチは、底面を欠いた中空の円柱体であり、前記ガイド傾斜柱は円錐台状である。前記ガイドスイッチの側表面に、均等に貫通孔が設けられ、前記貫通孔にロック軸が適合する。前記ガイドスイッチと前記ガイド傾斜柱との間に伝動機構を有し、前記ガイドスイッチおよび前記ガイド傾斜柱を相互に回転させるとき、前記ガイドスイッチは前記ガイド傾斜柱における柱の傾斜面に沿って上下に移動し、さらにロック軸はガイド傾斜柱に沿って運動する。
【０００６】
さらに、前記ガイド傾斜柱の上表面にガイド傾斜面が設けられ、前記ガイドスイッチの内底面に、前記ガイド傾斜面と相互に接触する組合せ面が設けられる。
【０００７】
さらに、前記ガイドスイッチの内底面にガイド釘が固定設置され、前記ガイド釘の下端面は球面である。前記ガイド傾斜柱の上表面に、前記ガイド釘に適合するガイド溝が設けられ、前記ガイド溝は深い部分から浅い部分まで、連続的に次第に変化して設置される。
【０００８】
さらに、前記ガイド傾斜柱の下部にバネおよび接続ボルトが取り付けられる。前記接続ボルトは前記バネを突き抜け、前記ガイド傾斜柱を突き抜け、前記ガイドスイッチの内底面に接続される。前記接続ボルトおよび前記ガイドスイッチの内底面は、ねじ山により接続される。
【０００９】
さらに、前記貫通孔は楕円状の孔であり、前記ロック軸は太鼓状である。
【００１０】
さらに、前記貫通孔は円状の孔であり、前記ロック軸はボールである。
【００１１】
さらに、前記ガイドスイッチの側表面における前記貫通孔以外の位置に、保護リングが設けられる。
【００１２】
本考案は、さらに上記いずれか１項に記載の脚管自動ロック装置を含む撮影用三脚を提供する。
【００１３】
本考案は、さらに上記いずれか１項に記載の脚管自動ロック装置を含む一脚を提供する。
【００１４】
本考案は、さらに上記いずれか１項に記載の脚管自動ロック装置を含む杖を提供する。
【考案の効果】
【００１５】
本考案を採用して提供する脚管自動ロック装置、撮影用三脚、一脚および杖は、一節の管を締め付けることを採用しているため、ロック解除、ロック状態を迅速に変更することができる。例えば、反対方向に一節の内管を回転させると、内管および外管はロック解除の状態になり、このとき内管は外管内で上下に伸縮することができる。正方向に最後の一節の内管を回転させると、内管および外管はロック状態になる。ロック状態のとき、内管を下に引き動かすと、内管および外管はロック解除の状態に変わる。このとき、任意の位置で内管を上に押すと、内管を外管内の任意の位置にロックすることができる。これにより、使用が手軽で、ロックする力が増し、脚管のロック解除およびロックを迅速に調節することができ、単一の節または全体的にロック解除およびロックを調節することができ、さらにロック状態で、任意の位置まで引っ張り、自動ロックすることができる技術的効果を達成する。
【図面の簡単な説明】
【００１６】
ここで説明する図は、本考案をさらに理解するために用いられ、本出願の一部分を構成する。本考案の概要的な実施例および本考案を解釈するための説明は、本考案を不適当に限定しない。
【００１７】
【図１】図１は、本考案の実施例１における脚管自動ロック装置を概要的に示した分解図である。
【図２】図２は、本考案の実施例１におけるガイドスイッチおよび適合するロック軸を概要的に示した図である。
【図３】図３は、本考案の実施例１におけるガイドスイッチおよび適合するロック軸を概要的に示した図である。
【図４】図４は、本考案の実施例１におけるガイドスイッチ、ガイド釘およびガイド傾斜柱を概要的に示した図である。
【図５】図５は、本考案の実施例２におけるガイドスイッチおよびガイド傾斜柱を概要的に示した図である。
【図６】図６は、本考案の実施例１における脚管自動ロック装置のロック状態を概要的に示した組立図である。
【図７】図７は、本考案の実施例１における脚管自動ロック装置のロック解除状態を概要的に示した組立図である。
【図８】図８は、本考案の実施例１における外管、保護インナースリーブ、接続リング、内管を概要的に示した分解図である。
【図９】図９は、本考案の実施例１における外管、接続リング、内管を概要的に示した接続図である。
【図１０】図１０は、本考案の実施例１における撮影用三脚を概要的に示した図である。
【図１１】図１１は、本考案の実施例１における一脚を概要的に示した図である。
【図１２】図１２は、本考案の実施例１における杖を概要的に示した図である。
【考案を実施するための形態】
【００１８】
以下に、図を参考にし、さらに実施例を組み合わせて、本考案を詳細に説明する。
【００１９】
［実施例１］
図１から図７を参照されたい。本考案の実施例は、ガイドスイッチ３およびガイド傾斜柱６を含む脚管自動ロック装置を提供する。図４に示すように、ガイドスイッチ３は底面を欠いた中空の円柱体であり、ガイド傾斜柱６は円錐台状である。ガイドスイッチ３の内底面にガイド釘４が取り付けられ、ガイド釘４の下端面は球面である。ガイド傾斜柱６の上表面に、ガイド釘４に適合するガイド溝６１が設けられ、ガイド溝６１は、深い部分から浅い部分まで連続的に次第に変化して設置される。ガイド釘４およびガイド溝６１は１つの伝動機構を構成し、ガイド釘４がガイド溝６１に沿ってスライドするとき、ガイド釘４の下端面の水平位置は上下に移動する。すなわち、ガイド釘４のガイド溝６１に沿った相対移動が生じるとき、ガイドスイッチ３は、ガイド傾斜柱６における柱の斜面に沿って上下に移動することができる。
【００２０】
ガイドスイッチ３の側表面に均等に貫通孔３１が設けられ、貫通孔３１にロック軸５が適合する。図２に示すように、貫通孔３１は楕円状の孔でよく、このときロック軸５は太鼓状、すなわち、中間部の直径が両端の直径より大きい回転体である。図３に示すように、貫通孔３１は円状の孔でもよく、このときロック軸５はボールである。ガイドスイッチ３の側表面における貫通孔３１以外の円周方向の位置に、保護リング２が設けられる。
【００２１】
図６および図７を参照されたい。ガイド傾斜柱６の下部にバネ７および接続ボルト８が取り付けられ、接続ボルト８はバネ７を突き抜け、ガイド傾斜柱６を突き抜け、ガイドスイッチ３の内底面に接続される。接続ボルト８は、ガイドスイッチ３の内底面とねじ山により接続され、さらにバネ７を終始圧縮状態にする。バネ７が提供する伸張力により、ガイドスイッチ３をガイド傾斜柱６に接近させる。
【００２２】
図１０から１２を参照されたい。本脚管自動ロック装置は撮影用三脚、一脚および杖などの脚管に適用される。脚管は外管９１および内管９２を含み、内管９２上部の外表面にも保護リング２が設けられる。ガイド傾斜柱６の下端および内管９２の上端は固定接続され、例えばねじ接合される。内管９２は外管９１内に取り付けられ、さらに外管９１内で軸方向に伸びたり縮んだりすることができる。図８および図９に示すように、外管９１の内表面と内管９２の外表面との間に保護インナースリーブ９が設置され、外管９１の下端は、接続リング１０により内管９２の外表面に接続される。
【００２３】
本脚管自動ロック装置の取付および使用方法は以下の通りである。
（１）接続ボルト８を用いてバネ７を突き抜け、ガイド傾斜柱６を通過して、ガイドスイッチ３の内底面に接続する。ガイド傾斜柱６の下端は、内管９２の上端と固定接続され、内管９２は外管９１内に取り付けられる。
【００２４】
（２）正方向に内管９２を回転させると、ガイド傾斜柱６はガイドスイッチ３に相対して動き、ガイドスイッチ３はガイド傾斜柱６における柱の傾斜面に沿って下に移動する。このときロック軸５はガイド傾斜柱６における柱の斜面に沿って下に下がり、同時に外周に向かって押出力を産生し、強制的に外管９１を締め付け、外管９１および内管９２をロック状態にする。
【００２５】
（３）内管９２を反対方向に回転させると、ガイド傾斜柱６はガイドスイッチ３に相対して動き、ガイドスイッチ３はガイド傾斜柱６の傾斜面に沿って上に移動する。このときロック軸５はガイド傾斜柱６における柱の傾斜面に沿って上に上がり、このとき内管９２および外管９１はロック解除状態を保持し、内管９２は外管内で伸縮することができる。
【００２６】
（４）ロック状態のとき、ロック軸５は外周に向かって押出力を産生し、強制的に外管９１を締め付けている。内管９２を下に引き動かすのは、ガイド傾斜柱６がガイドスイッチ３に相対して下に移動するのに相当し、ロック軸５はガイド傾斜柱６における柱の傾斜面に沿って上に上がり、内管９２および外管９１はロック解除状態に変わる。このとき任意の位置で内管９２を上に押すと、内管９２を外管９１内の任意の位置にロックすることができる。
【００２７】
［実施例２］
本実施例が実施例１と異なる部分は、図５に示す通りである。実施例１のガイド溝６１を無くし、ガイド傾斜柱６の上表面にガイド傾斜面６２を設け、ガイドスイッチ３の内底面に、ガイド傾斜面６２と相互に接触する組合せ面６３を設ける。ガイド傾斜面６２および組合せ面６３は１つの伝動機構を構成し、ガイド傾斜柱６およびガイドスイッチ３が相互に回転するとき、組合せ面６３はガイド傾斜面６２に沿って上下に移動する。これにより、ガイドスイッチ３をガイド傾斜柱６における柱の傾斜面に沿って上下に移動させることができる。
【００２８】
本考案の実施例を採用して提供する脚管自動ロック装置は、複数節の管からなる撮影用三脚、一脚および杖などに対して、一節の管を締め付け、ロック解除、ロック状態を迅速に変更することができる。例えば、一節の内管９２を反対方向に回転させると、内管９２および外管９１はロック解除状態になり、このとき内管９２は外管９１内で上下に伸縮することができる。最後の一節の内管９２を正方向に回転させると、内管９２および外管９１はロック状態になる。ロック状態のとき、内管９２を下に引き動かすと、内管９２および外管９１はロック解除状態に変わり、このとき任意の位置で内管９２を上に押すと、内管９２を外管９１内の任意の位置にロックすることができる。
【００２９】
本考案の実施例を採用して提供する脚管自動ロック装置、撮影用三脚、一脚および杖は、使用が手軽で、ロックする力が増し、脚管のロック解除およびロックを迅速に調節することができ、単一の節または全体的にロック解除およびロックを調節することができる。さらにロック状態で任意の位置まで引っ張り、自動ロックすることができる。
【００３０】
以上の記載は本考案の好ましい実施例に過ぎず、本考案を制限するものではない。当業者は、本考案について各種の変更および変化を行うことができる。本考案の趣旨および原則内において行う修正、同等の置換、改善などは、いずれも本考案の保護範囲内に包含されるべきである。
【符号の説明】
【００３１】
２…保護リング、
３…ガイドスイッチ、３１…貫通孔、
４…ガイド釘、
５…ロック軸、
６…ガイド傾斜柱、６１…ガイド溝、６２…ガイド傾斜面、６３…組合せ面、
７…バネ、
８…接続ボルト、
９…保護インナースリーブ、９１…外管、９２…内管、
１０…接続リング。
【図１】
0003201233.tif 000003
【図２】
0003201233.tif 000004
【図３】
0003201233.tif 000005
【図４】
0003201233.tif 000006
【図５】
0003201233.tif 000007
【図６】
0003201233.tif 000008
【図７】
0003201233.tif 000009
【図８】
0003201233.tif 000010
【図９】
0003201233.tif 000011
【図１０】
0003201233.tif 000012
【図１１】
0003201233.tif 000013
【図１２】
0003201233.tif 000014